(57)【要約】【課題】連結作業が容易に行え、且つ、興趣性を高い玩具車両の連結装置を提供すること。【解決手段】一方の玩具車両２を台車２２に位置決め載置させた状態で、台車を他方の玩具車両３の連結部に向けて移動させ、台車の当接面の傾斜面２５ａに他方の玩具車両の突起３ｂを乗せ、台車の進行に伴って突起を一方の玩具車両の孔２ｂの上方へ押し上げ、当接面の端部が通過した際に他方の玩具車両を落下させて、該他方の玩具車両の突起を一方の玩具車両の孔に嵌め込むようにした。【選択図】  図５
0003164966.tif 000002
【実用新案登録請求の範囲】
【請求項１】
連結部に孔が形成された玩具車両の前後方向と、連結部に突起が形成された玩具車両の前後方向とを互いに交差させた状態で、上下方向で前記孔に前記突起を嵌め込むことによって、玩具車両同士を互いに連結させる、玩具車両の連結装置であって、
床板と、
前記床板の上で直線往復移動可能に構成され、且つ、該台車の移動方向に前後方向が合致するように一方の玩具車両を載置可能に構成された台車と、を備え、
前記台車は、傾斜面及び端部を有する当接面を有し、該台車の一方向への移動に伴って、前記傾斜面が、前記台車の移動方向に対して前後方向が交差し且つ該台車の移動路の上に連結部が位置するように停車場所に止め置かれた他方の玩具車両の下側に潜り込み、該他方の玩具車両に当接し該他方の玩具車両を持ち上げて該他方の玩具車両の連結部を上昇させ、前記端部の通過によって、該他方の玩具車両との当接を解除して該他方の玩具車両を落下させて、前記孔に前記突起を嵌め込むように構成されていることを特徴とする玩具車両の連結装置。
【請求項２】
前記突起は、軸部と、軸部から水平方向に突出する爪部とを先端部に備え、前記孔は、前記他方の玩具車両の前後方向と、前記一方の玩具車両の前後方向とが所定の交差角で互いに交差するときにだけ、前記突起が嵌め込み可能に構成され、さらに、前記孔の縁の内側には、前記孔に前記突起を嵌め込んだ状態で、前記孔と前記突起との相対回転を許容する空間が形成されていることを特徴とする請求項１に記載の玩具車両の連結装置。
【請求項３】
前記所定の交差角は直角であることを特徴とする請求項２に記載の玩具車両の連結装置。
【請求項４】
前記台車を前記一方向へ向けて付勢する付勢手段と、前記付勢手段の付勢力に抗して該台車を他方向に移動させた位置で該台車を保持するロック手段と、前記ロック手段による保持を解除させるロック解除手段とを備えていることを特徴とする請求項１から３いずれか一項に記載の玩具車両の連結装置。
【請求項５】
前記他方の玩具車両に前記突起が形成され、前記突起は上方から前記孔に嵌め込み可能となっており、前記台車の当接面には、該台車の前記一方向への移動の際に、前記突起の側面に当接して該突起を前記一方の玩具車両の孔の上方に向けて案内するガイド壁が形成されていることを特徴とする請求項１から４いずれか一項に記載の玩具車両の連結装置。
【請求項６】
前記当接面は前記突起の下端に当接することによって前記他方の玩具車両を持ち上げるように構成され、前記当接面の端部の縁には、前記台車に載置した前記一方の玩具車両の孔を露出させ、且つ、前記台車の前記一方向への移動に伴って、前記突起を前記孔に落とし込ませる切欠きが形成されていることを特徴とする請求項５に記載の玩具車両の連結装置。
【請求項７】
請求項１から６いずれか一項に記載の玩具車両の連結装置と、前記他方の玩具車両と前記一方の玩具車両とが連結された連結車両玩具の走行路と、前記走行路に設けられた連結解除装置とを備え、
前記連結解除装置は、
前記孔から前記突起が離脱可能にされた状態で前記一方の玩具車両を前記他方の玩具車両に対して落下させて玩具車両同士の連結を解除させる段差を有することを特徴とする連結車両玩具用ステーション。
【請求項８】
前記連結解除装置は、さらに、前記走行路を走行する前記連結車両玩具に摺接して前記他方の玩具車両及び前記一方の玩具車両を前記孔から前記突起が離脱可能な向きにするガイド壁を有することを特徴とする請求項７に記載の連結車両玩具用ステーション。
【考案の詳細な説明】
【技術分野】
【０００１】
本考案は玩具車両の連結装置及び連結車両玩具用ステーションに関するもので、詳しくは、連結部に孔が形成された玩具車両と、連結部に突起が形成された玩具車両とを、孔に突起を嵌め込むことによって、互いに連結させる連結装置及び連結車両玩具用ステーションに関するものである。
【背景技術】
【０００２】
従来、連結部に孔が形成された玩具車両と、連結部に突起が形成された玩具車両とを、孔に突起を嵌め込むことによって、互いに連結させる連結構造を有する連結車両玩具が知られている（例えば、特許文献１）。
【先行技術文献】
【特許文献】
【０００３】
【特許文献１】特許第２５４６４６５号公報
【考案の概要】
【考案が解決しようとする課題】
【０００４】
このような連結車両玩具において、玩具車両同士を互いに連結する場合、両玩具車両を手で持ち上げて孔と突起を合致させた後、孔に突起を嵌め込むことによって、玩具車両同士を互いに連結していた。或いは、一方の玩具車両を地上に置き、他方の玩具車両を手で持ち上げて、その後は同様な方法で玩具車両同士を互いに連結していた。
しかしながら、連結車両玩具の孔や突起は小さく、目視によって、孔と突起を合わせる連結作業は特に年の小さな子供にとっては難しいという問題がある。また、このように手で玩具車両を持ち上げないと玩具車両同士を連結できなかったため、その分、興趣性に欠けるものとなっていた。
【０００５】
本考案は、連結作業が容易に行え、且つ、興趣性を高い玩具車両の連結装置及び連結車両玩具用ステーションを提供することを目的とする。
【課題を解決するための手段】
【０００６】
請求項１の考案は、
連結部に孔が形成された玩具車両の前後方向と、連結部に突起が形成された玩具車両の前後方向とを互いに交差させた状態で、上下方向で前記孔に前記突起を嵌め込むことによって、玩具車両同士を互いに連結させる、玩具車両の連結装置であって、
床板と、
前記床板の上で直線往復移動可能に構成され、且つ、該台車の移動方向に前後方向が合致するように一方の玩具車両を載置可能に構成された台車と、を備え、
前記台車は、傾斜面及び端部を有する当接面を有し、該台車の一方向への移動に伴って、前記傾斜面が、前記台車の移動方向に対して前後方向が交差し且つ該台車の移動路の上に連結部が位置するように停車場所に止め置かれた他方の玩具車両の下側に潜り込み、該他方の玩具車両に当接し該他方の玩具車両を持ち上げて該他方の玩具車両の連結部を上昇させ、前記端部の通過によって、該他方の玩具車両との当接を解除して該他方の玩具車両を落下させて、前記孔に前記突起を嵌め込むように構成されていることを特徴とする玩具車両の連結装置である。
【０００７】
請求項２の考案は、請求項１に記載の玩具車両の連結装置において、前記突起は、軸部と、軸部から水平方向に突出する爪部とを先端部に備え、前記孔は、前記他方の玩具車両の前後方向と、前記一方の玩具車両の前後方向とが所定の交差角で互いに交差するときにだけ、前記突起が嵌め込み可能に構成され、さらに、前記孔の縁の内側には、前記孔に前記突起を嵌め込んだ状態で、前記孔と前記突起との相対回転を許容する空間が形成されていることを特徴とする。
【０００８】
請求項３の考案は、請求項２に記載の玩具車両の連結装置において、前記所定の交差角は直角であることを特徴とする。
【０００９】
請求項４の考案は、請求項１から３いずれか一項に記載の玩具車両の連結装置において、前記台車を前記一方向へ向けて付勢する付勢手段と、前記付勢手段の付勢力に抗して該台車を他方向に移動させた位置で該台車を保持するロック手段と、前記ロック手段による保持を解除させるロック解除手段とを備えていることを特徴とする。
【００１０】
請求項５の考案は、請求項１から４いずれか一項に記載の玩具車両の連結装置において、前記他方の玩具車両に前記突起が形成され、前記突起は上方から前記孔に嵌め込み可能となっており、前記台車の当接面には、該台車の前記一方向への移動の際に、前記突起の側面に当接して該突起を前記一方の玩具車両の孔の上方に向けて案内するガイド壁が形成されていることを特徴とする。
【００１１】
請求項６の考案は、請求項５に記載の玩具車両の連結装置において、前記当接面は前記突起の下端に当接することによって前記他方の玩具車両を持ち上げるように構成され、前記当接面の端部の縁には、前記台車に載置した前記一方の玩具車両の孔を露出させ、且つ、前記台車の前記一方向への移動に伴って、前記突起を前記孔に落とし込ませる切欠きが形成されていることを特徴とする。
【００１２】
請求項７の考案は、請求項１から６いずれか一項に記載の玩具車両の連結装置と、前記他方の玩具車両と前記一方の玩具車両とが連結された連結車両玩具の走行路と、前記走行路に設けられた連結解除装置とを備え、
前記連結解除装置は、
前記孔から前記突起が離脱可能とされた状態で前記一方の玩具車両を前記他方の玩具車両に対して落下させて玩具車両同士の連結を解除させる段差を有することを特徴とする連結車両玩具用ステーションである。
【００１３】
請求項８の考案は、請求項７に記載の連結車両玩具用ステーションにおいて、前記連結解除装置は、さらに、前記走行路を走行する前記連結車両玩具に摺接して前記他方の玩具車両及び前記一方の玩具車両を前記孔から前記突起が離脱可能な向きにするガイド壁を有することを特徴とする。
【考案の効果】
【００１４】
本考案によれば、玩具車両を互いに連結する場合に、両玩具車両を手に持って連結させる必要はないことから、連結作業の煩雑さがなく、しかも、実車の場合に近い形で連結が可能となることから、興趣性の向上が図れる。
【図面の簡単な説明】
【００１５】
【図１】本考案に係る玩具車両の連結装置の実施形態を備えた連結車両玩具用ステーションを示した斜視図である。
【図２】図１の連結車両玩具用ステーションの平面図である。
【図３】玩具車両の連結装置の対象であるトラクタおよびトレーラを示した斜視図である。
【図４】互いに連結されたトラクタおよびトレーラの走行状態を示した側面図である。
【図５】玩具車両の連結装置の作用を説明するための断面側面図で、台車の先端がトレーラの下方に潜り込んだ状態を示している。
【図６】玩具車両の連結装置の作用を説明するための断面側面図で、トレーラの連結部の突起が台車の傾斜面によって押上げられた状態を示している。
【図７】玩具車両の連結装置の作用を説明するための断面側面図で、台車の平坦面にトレーラの連結部の突起が位置している状態を示している。
【図８】玩具車両の連結装置の作用を説明するための断面側面図で、トレーラの連結部の突起下端がトラクタの連結部の孔に挿嵌された状態を示している。
【図９】玩具車両の連結装置の作用を説明するための断面側面図で、トレーラを連結したトラクタが台車から離れた状態を示している。
【図１０】玩具車両の連結装置のロック手段を示した斜視図である。
【図１１】玩具車両の連結装置によってトラクタとトレーラとを連結した状態を示した斜視図である。
【図１２】互いに連結したトラクタおよびトレーラを連結装置から離れた状態を示した斜視図である。
【考案を実施するための形態】
【００１６】
以下、本考案の玩具車両の連結装置の実施形態を説明する。
【００１７】
図１は、実施形態の連結装置を備えた連結車両玩具用ステーションの斜視図、図２は、図１の連結車両玩具用ステーションの平面図である。
この連結車両玩具用ステーション１は、トラクタ２及びトレーラ３からなる連結車両Ａの待機場所である。この連結車両玩具用ステーション１には、連結車両Ａのトラクタ２とトレーラ３との連結を解除する連結解除部１０と、トラクタ２にトレーラ３を連結する連結装置２０とを備えている。ここで、トラクタ２とトレーラ３とはそれぞれ玩具車両を構成している。
【００１８】
最初に、連結車両玩具Ａについて説明する。この連結車両玩具Ａは手押し式の連結車両玩具である。
図３に示すように、トレーラ３の前端部下側には連結部３ａが形成されている。この連結部３ａには、突起３ｂがトレーラ本体から下方に向けて突出して形成されている。この突起３ｂは、軸部３ｂ-１と、軸部３ｂ-１の下端部に連設された爪部３ｂ-２とを備えている。爪部３ｂ-２は、軸部３ｂ-１から前方に向けて突出している。
【００１９】
一方、図３に示すように、トラクタ２の後端部上側には連結部２ａが形成されている。この連結部２ａには、鉛直方向に延びる軸心を有する孔２ｂが形成されている。この孔２ｂは、周方向の１箇所でのみ、上記突起３ｂが嵌め込み可能な形状となっている。すなわち、孔２ｂは、トレーラ３側から見てトラクタ２が左向きとなった場合にのみ、トレーラ３の突起３ｂを嵌め込み可能となっている。
また、孔２ｂの縁の内側には、図示はしないが、孔２ｂに嵌め込んだ突起３ｂの回転を許容する空間が形成されている。これによって、孔２ｂに突起３ｂを嵌め込んだ後、トラクタ２の向きをトレーラ３に対して９０度変えることができ、これによって、図４に示すように、トラクタ２の前後方向とトレーラ３の前後方向とを合致させることができる。また、これによって、爪部３ｂ-２が孔２ｂの縁の内面に係合され、突起３ｂの孔２ｂからの抜けが防止される。
【００２０】
次に、連結車両玩具用ステーション１について説明する。
連結車両玩具用ステーション1は着脱可能な上りのスロープ１Ａを備えている。そして、この連結車両玩具用ステーション１においては、スロープ１Ａを上った連結車両玩具Ａが車両進入通路１１から広場１ａに入り、また、連結車両玩具Ａが広場１ａから出るには下りのスロープ１Ｂを使用するようになっている。
この車両進入通路１１は、途中で、左方に直角に曲げられている。この直角に曲げられている部分に連結解除部１０が設けられている。
この連結解除部１０は、車両進入通路１１の右側壁１０ａと、車両進入通路１１に形成された段差１０ｂによって構成されている。このうち右側壁１０ａはガイド壁を構成し、車両進入通路１１を走行する連結車両玩具Ａのトラクタ２の右角に摺接してトレーラ３に対してトラクタ２を左向きにする働きをする。これによって、トラクタ２の孔２ｂとトレーラ３の突起３ｂとが合致した状態となる。一方、段差１０ｂは、トラクタ２の孔２ｂとトレーラ３の突起３ｂとが合致した状態に至ったときに、トレーラ３に対してトラクタ２を一段落下させる働きをする。これによって、トラクタ２とトレーラ３との連結が解除される。
【００２１】
また、連結車両玩具用ステーション１には、連結解除後のトラクタ２やトレーラ３等を格納するための格納庫1ｂが設けられている。この格納庫1ｂは複数のレーンを備えている。そして、各レーンにトラクタ２やトレーラ３等を格納できるようになっている。
この格納庫1ｂは、人の操作によって図２の矢印方向に往復移動可能となっている。この格納庫1ｂのレーンはスロープ１Ａに合致した際には車両進入通路１１の一部を構成する。
この格納庫1ｂには、特に限定はされないが、連結解除後のトレーラ３がそのままバックして格納されるようになっている。また、この格納庫1ｂには、特に限定はされないが、連結解除後のトラクタ２が広場１ａ側から格納できるようになっている。
【００２２】
また、連結車両玩具用ステーション１には、図１および図２に示すように、スタンド２１が設けられている。
【００２３】
さらに、連結車両玩具用ステーション１には、図１および図２に示すように、連結装置２０が設けられている。この連結装置２０は、トラクタ２を載置可能な台車２２を備えている。この台車２２は、図５から図９に示すように、トラクタ２を載置するための底板２４と、該底板２４に載置したトラクタ２の後部の一部を覆うためのカバー２５とを備えている。
上記台車２２の底板２４には、載置したトラクタ２を底板２４の所定位置に保持するための車輪止め用のリブ２６，２６が形成されている。
一方、上記カバー２５は底板２４との間でポケットを構成している。このカバー２５の上面は、ポケットの開口側に向けて登り勾配を持つ傾斜面２５ａと、該傾斜面２５ａよりもポケットの開口側に位置し該傾斜面２５ａに連設された平坦面２５ｂとによって形成されている。このカバー２５の上面は当接面を構成している。このカバー２５の上面には、また、ポケットの開口部側に向けて互いの間隔が狭まるように形成された一対のガイド壁２７，２７が形成されている。さらに、このカバー２５の上面には、ポケットの開口部縁に弧状の切欠き２８が形成されている。
なお、上記当接面、ガイド壁２７，２７及び切欠き２８の働きについては後述する。
【００２４】
上記台車２２は、スタンド２１から離間した第１の位置と、スタンド２１に近接する第２の位置との間で往復移動可能に構成されている。すなわち、連結車両玩具用ステーション１の床板には、上記第１の位置と上記第２の位置との間に亘って直線状のガイド溝１ｃが形成されている。一方、台車２２の下面には、ガイド溝１ｃ内に差し込まれるガイド片２９が垂設されている。
また、ガイド溝１ｃに差し込まれたガイド片２９の下端面には、機構ボックス３０が取り付けられている。この機構ボックス３０は、内部にゼンマイばね３１を備え、該ゼンマイばねの軸３１ａは、図示しない歯車機構を介して、軸３４ａに付設されたピニオン歯車３４に連結されている。そして、このピニオン歯車３４は、床板の下面に上記ガイド溝１ｃに沿って形成されたラック歯車３５に噛合している。
その結果、台車２２を第２の位置から第１の位置に手で移動させると、ラック歯車３５の上をピニオン３４が転動してゼンマイばね３１に付勢力が蓄えられることになる。一方、第1の位置で台車２２を開放すると、ゼンマイばね３１の動力によってピニオン歯車３４が転動して、台車２２が第２位置に移動することとなる。
【００２５】
また、連結車両玩具用ステーション１には、図１０に示すように、台車２２を第１の位置に保持するためのロック手段３６が設けられている。このロック手段３６は操作ボタン３７を備えている。この操作ボタン３７は、床板の下面に垂設されたボス３８に摺動自在に支持され、コイルばね３９によって上方に付勢されている。この操作ボタン３７には、板状の係止片４０が台車２２の機構ボックス３０に向けて突設されている。一方、機構ボックス３０の側面には、係止片４１が突設されている。この係止片４１は縦断面が楔状を成している。
その結果、台車２２が第２の位置から第１の位置側に移動した際に、台車２２の係止片４１は、操作ボタン３７の係止片４０に当接して傾斜面４１ａで操作ボタン３７の係止片４０を押し退け、係止片４０を乗り越えることになる。そして、係止片４１が係止片４０を乗り越えると、係止片４０はコイルばね３９の付勢力によって上昇する。これによって、台車２２の係止片４１が操作ボタン３７の係止片４０の端面に当接し、台車２２は第１の位置に保持されることになる。一方、ロック手段３６によって台車２２が第１の位置に保持された状態で、操作ボタン３７を手で押し下げると、操作ボタン３７の係止片４０がコイルばね３９の付勢力に抗して台車２２の係止片４１よりも下方に移動し、係止片４０，４１の係合が解除され、台車２２はゼンマイばね３１の付勢力によって第２位置まで移動することになる。
【００２６】
以下に、玩具車両の連結装置の全体的な作用を説明する。
【００２７】
トラクタ２とトレーラ３とを連結する場合には、図５に示すように、台車２２を第１の位置まで移動させておく。この第１の位置では、台車２２はロック手段３６によって保持された状態にある。また、この第１の位置では、台車２２のゼンマイばね３１は付勢力が蓄えられた状態にある。
そして、この第1の位置にある台車２２にトラクタ２をバックさせて載置する。この状態では、トラクタ２はリブ２６，２６によって台車２２の所定位置に保持されている。一方、トレーラ３をスタンド２１に横付けしておく。この場合、トレーラ３の右側面をスタンド２１の壁に当接させておく。あるいはスタンド２１が存在しない場合には手でトレーラ３を固定しておいてもよい。ただし、トレーラ３の右側面をスタンド２１その他の面に当接させるようにしておけば、トレーラ３の位置決めともなるし、トレーラ３の重量や大きさにもよるが、手でトレーラ３を押さえる必要もなくなる。
次いで、操作ボタン３７を操作して台車２２の第１の位置への保持を解除する。すると、ゼンマイばね３１の付勢力によって台車２２が第２の位置に向けて移動する。そして、傾斜面２５ａがトレーラ３の下方に徐々に潜り込み、図６に示すように、トレーラ３の突起３ｂが台車２２の傾斜面２５ａに当接し、突起３ｂひいてはトレーラ３が上方に押し上げられる。さらに台車２２が第２の位置側へ移動すると、図７に示すように、台車２２の平坦面２５ｂの上に突起３ｂが乗り、遂には、台車２２の切欠き２８が突起３ｂに達する。すると、図８に示すように、突起３ｂが下方に落下し、その下端がトラクタ２の孔２ｂに少し嵌り込む。この状態から、台車２２はさらに第２の位置側へ移動するが、既に突起３ｂが孔２ｂに少し嵌り込んでいるとともに、トレーラ３の右側面がスタンド２１の壁に当接しているため、トラクタ２は台車２２には追従しない。その結果、図９に示すように、トラクタ２は台車２２のリブ２６を乗り越えて台車２２から押し出され、突起３ｂが孔２ｂに完全に嵌り込む。このときの状態が図１１に示されている。この状態からトラクタ２を前進させると、図１２に示すように、トラクタ２に牽引されてトレーラ３も移動することになる。
【００２８】
以上、本考案の実施形態について説明したが、本考案は、かかる実施形態に限定されるものではなく、その要旨を逸脱しない範囲で、種々変形可能であることは言うまでもない。
【００２９】
例えば、上記実施形態では、ゼンマイばね３１の付勢力によって台車２２を移動させるようにしているが、ゼンマイばね３１に代えて、コイルばねを設けて、このコイルばねの付勢力によって移動させるようにしてもよい。また、モータの動力によって台車を移動させてもよい。さらには、手動で台車２２を移動させるようにしてもよい。
【００３０】
また、上記実施形態では、突起３ｂを軸部３ｂ−１と爪部３ｂ−２とによって構成しているが、爪部３ｂ−１の無い突起３ｂにも適用できる。
【００３１】
また、上記実施形態では、突起３ｂがトレーラ３側に設けられ、孔２ｂがトラクタ２側に設けられているが、逆であってもよい。
【００３２】
また、上記実施形態では、突起３ｂの下端にカバー２５の傾斜面２５ａを当接させるようにしてトレーラ３を上昇させているが、傾斜面２５ａにトレーラ３の一部が当接すれば十分である。要は、突起３ｂを上昇させることである。
【００３３】
また、上記実施形態では、トラクタ２とトレーラ３とを直交させて連結するようにしているが、交差させてトラクタ２とトレーラ３とを連結すれば十分であり、直交させなくてもよい。
【００３４】
また、上記実施形態では、トラクタ２とトレーラ３からなる連結車両玩具を説明したが、鉄道車両玩具等、他の連結車両玩具にも適用できる。
【符号の説明】
【００３５】
１    連結車両玩具用ステーション
２    トラクタ
２ａ    連結部
２ｂ    孔
３    トレーラ
３ａ    連結部
３ｂ−１    軸部
３ｂ−２    爪部
１０    連結解除部
１１    車両進入通路
２０    連結装置
２２    台車
２５ａ    傾斜面
２５ｂ    平坦面
２７    ガイド壁
２８    切欠き
３１    ゼンマイばね
３６    ロック手段
３７    操作ボタン
【図１】
0003164966.tif 000003
【図２】
0003164966.tif 000004
【図３】
0003164966.tif 000005
【図４】
0003164966.tif 000006
【図５】
0003164966.tif 000007
【図６】
0003164966.tif 000008
【図７】
0003164966.tif 000009
【図８】
0003164966.tif 000010
【図９】
0003164966.tif 000011
【図１０】
0003164966.tif 000012
【図１１】
0003164966.tif 000013
【図１２】
0003164966.tif 000014